【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
ビットストリーム適合を決定するための方法であって、
バッファリング期間サプルメンタルエンハンスメント情報（ＳＥＩ）メッセージを含む符号化ビデオビットストリームを受信することと、ここにおいて、バッファリング期間ＳＥＩメッセージは、前記ビットストリーム中のどのバッファリング期間ＳＥＩメッセージも、０よりも大きいＴｅｍｐｏｒａｌＩｄをもつアクセスユニット（ＡＵ）に関連付けられることができないという制限を受け、
前記バッファリング期間ＳＥＩメッセージは、初期コード化ピクチャバッファ（ＣＰＢ）除去遅延および初期ＣＰＢ除去遅延オフセットの情報を提供し、
前記バッファリング期間ＳＥＩメッセージは、スケジュール選択インデックスについての初期ＣＰＢ除去遅延シンタックス要素を備え、前記初期ＣＰＢ除去遅延シンタックス要素は、前記スケジュール選択インデックスについての初期代替ＣＰＢ除去遅延シンタックス要素であり、
仮想参照デコーダ（ＨＲＤ）は、コード化ピクチャバッファ（ＣＰＢ）および復号ピクチャバッファ（ＤＰＢ）のバッファリングモデルを含み、ビットストリーム適合は、前記ＨＲＤの仕様の一部として指定され、前記ＨＲＤは、前記バッファリング期間ＳＥＩメッセージ、ピクチャタイミングＳＥＩメッセージ、およびビデオパラメータセット（ＶＰＳ）またはシーケンスパラメータセット（ＳＰＳ）中のｈｒｄ＿ｐａｒａｍｅｔｅｒｓ（）シンタックス構造の前記ビットストリーム中で与えられるＨＲＤパラメータに依拠し、
前記ビットストリームは、ピクチャの符号化ビデオスライスのビデオブロックと、関連するシンタックス要素とを表し、前記ピクチャは、１に等しいＴｅｍｐｏｒａｌＩｄを有し、
ＤｅｆａｕｌｔＩｎｉｔＣｐｂＰａｒａｍｓＦｌａｇが０に等しいときに、前記スケジュール選択インデックスについての初期ＣＰＢ除去遅延変数の値を前記スケジュール選択インデックスについての前記初期ＣＰＢ除去遅延シンタックス要素に設定することと
を備える、方法。
【請求項２】
ビットストリーム適合を決定するためのデバイスであって、
コード化ピクチャバッファ（ＣＰＢ）と、
バッファリング期間サプルメンタルエンハンスメント情報（ＳＥＩ）メッセージを含む符号化ビデオビットストリームを受信することと、ここにおいて、バッファリング期間ＳＥＩメッセージは、前記ビットストリーム中のどのバッファリング期間ＳＥＩメッセージも、０よりも大きいＴｅｍｐｏｒａｌＩｄをもつアクセスユニット（ＡＵ）に関連付けられることができないという制限を受け、
前記バッファリング期間ＳＥＩメッセージは、初期ＣＰＢ除去遅延および初期ＣＰＢ除去遅延オフセットの情報を提供し、
前記バッファリング期間ＳＥＩメッセージは、スケジュール選択インデックスについての初期ＣＰＢ除去遅延シンタックス要素を備え、前記初期ＣＰＢ除去遅延シンタックス要素は、前記スケジュール選択インデックスについての初期代替ＣＰＢ除去遅延シンタックス要素であり、
仮想参照デコーダ（ＨＲＤ）は、前記ＣＰＢおよび復号ピクチャバッファ（ＤＰＢ）のバッファリングモデルを含み、ビットストリーム適合は、前記ＨＲＤの仕様の一部として指定され、前記ＨＲＤは、前記バッファリング期間ＳＥＩメッセージ、ピクチャタイミングＳＥＩメッセージ、およびビデオパラメータセット（ＶＰＳ）またはシーケンスパラメータセット（ＳＰＳ）中のｈｒｄ＿ｐａｒａｍｅｔｅｒｓ（）シンタックス構造の前記ビットストリーム中で与えられるＨＲＤパラメータに依拠し、
前記ビットストリームは、ピクチャの符号化ビデオスライスのビデオブロックと、関連するシンタックス要素とを表し、前記ピクチャは、１に等しいＴｅｍｐｏｒａｌＩｄを有し、
ＤｅｆａｕｌｔＩｎｉｔＣｐｂＰａｒａｍｓＦｌａｇが０に等しいときに、前記スケジュール選択インデックスについての初期ＣＰＢ除去遅延変数の値を前記スケジュール選択インデックスについての前記初期ＣＰＢ除去遅延シンタックス要素に設定することと
を行うように構成された１つまたは複数のプロセッサと
を備える、デバイス。
【請求項３】
命令を記憶した非一時的コンピュータ可読記憶媒体であって、前記命令は、実行されると、デバイスの１つまたは複数のプロセッサに、
バッファリング期間サプルメンタルエンハンスメント情報（ＳＥＩ）メッセージを含む符号化ビデオビットストリームを受信することと、ここにおいて、バッファリング期間ＳＥＩメッセージは、前記ビットストリーム中のどのバッファリング期間ＳＥＩメッセージも、０よりも大きいＴｅｍｐｏｒａｌＩｄをもつアクセスユニット（ＡＵ）に関連付けられることができないという制限を受け、
前記バッファリング期間ＳＥＩメッセージは、初期コード化ピクチャバッファ（ＣＰＢ）除去遅延および初期ＣＰＢ除去遅延オフセットの情報を提供し、
前記バッファリング期間ＳＥＩメッセージは、スケジュール選択インデックスについての初期ＣＰＢ除去遅延シンタックス要素を備え、前記初期ＣＰＢ除去遅延シンタックス要素は、前記スケジュール選択インデックスについての初期代替ＣＰＢ除去遅延シンタックス要素であり、仮想参照デコーダ（ＨＲＤ）は、コード化ピクチャバッファ（ＣＰＢ）および復号ピクチャバッファ（ＤＰＢ）のバッファリングモデルを含み、ビットストリーム適合は、前記ＨＲＤの仕様の一部として指定され、前記ＨＲＤは、前記バッファリング期間ＳＥＩメッセージ、ピクチャタイミングＳＥＩメッセージ、およびビデオパラメータセット（ＶＰＳ）またはシーケンスパラメータセット（ＳＰＳ）中のｈｒｄ＿ｐａｒａｍｅｔｅｒｓ（）シンタックス構造の前記ビットストリーム中で与えられるＨＲＤパラメータに依拠し、
前記ビットストリームは、ピクチャの符号化ビデオスライスのビデオブロックと、関連するシンタックス要素とを表し、前記ピクチャは、１に等しいＴｅｍｐｏｒａｌＩｄを有し、
ＤｅｆａｕｌｔＩｎｉｔＣｐｂＰａｒａｍｓＦｌａｇが０に等しいときに、前記スケジュール選択インデックスについての初期ＣＰＢ除去遅延変数の値を前記スケジュール選択インデックスについての前記初期ＣＰＢ除去遅延シンタックス要素に設定することと
を行わせる、非一時的コンピュータ可読記憶媒体。
【請求項４】
ビットストリーム適合を決定するためのデバイスであって、
バッファリング期間サプルメンタルエンハンスメント情報（ＳＥＩ）メッセージを含む符号化ビデオビットストリームを受信するための手段と、ここにおいて、バッファリング期間ＳＥＩメッセージは、前記ビットストリーム中のどのバッファリング期間ＳＥＩメッセージも、０よりも大きいＴｅｍｐｏｒａｌＩｄをもつアクセスユニット（ＡＵ）に関連付けられることができないという制限を受け、
前記バッファリング期間ＳＥＩメッセージは、初期コード化ピクチャバッファ（ＣＰＢ）除去遅延および初期ＣＰＢ除去遅延オフセットの情報を提供し、
前記バッファリング期間ＳＥＩメッセージは、スケジュール選択インデックスについての初期ＣＰＢ除去遅延シンタックス要素を備え、前記初期ＣＰＢ除去遅延シンタックス要素は、前記スケジュール選択インデックスについての初期代替ＣＰＢ除去遅延シンタックス要素であり、
仮想参照デコーダ（ＨＲＤ）は、コード化ピクチャバッファ（ＣＰＢ）および復号ピクチャバッファ（ＤＰＢ）のバッファリングモデルを含み、ビットストリーム適合は、前記ＨＲＤの仕様の一部として指定され、前記ＨＲＤは、前記バッファリング期間ＳＥＩメッセージ、ピクチャタイミングＳＥＩメッセージ、およびビデオパラメータセット（ＶＰＳ）またはシーケンスパラメータセット（ＳＰＳ）中のｈｒｄ＿ｐａｒａｍｅｔｅｒｓ（）シンタックス構造の前記ビットストリーム中で与えられるＨＲＤパラメータに依拠し、
前記ビットストリームは、ピクチャの符号化ビデオスライスのビデオブロックと、関連するシンタックス要素とを表し、前記ピクチャは、１に等しいＴｅｍｐｏｒａｌＩｄを有し、
ＤｅｆａｕｌｔＩｎｉｔＣｐｂＰａｒａｍｓＦｌａｇが０に等しいときに、前記スケジュール選択インデックスについての初期ＣＰＢ除去遅延変数の値を前記スケジュール選択インデックスについての前記初期ＣＰＢ除去遅延シンタックス要素に設定するための手段と
を備える、デバイス。
【請求項５】
前記バッファリング期間ＳＥＩメッセージに関連するアクセスユニットは、アクセスユニット０と呼ばれ、前記方法は、
アクセスユニットがアクセスユニット０であることに基づいて、前記アクセスユニットの名目除去時間を、前記スケジュール選択インデックスについての前記初期ＣＰＢ除去遅延に基づいて決定することと、
前記アクセスユニットの前記名目除去時間に等しいＣＰＢ除去時間を設定することと、ここにおいて、前記アクセスユニットは復号ユニット（ＤＵ）であり、
前記決定されたＣＰＢ除去時間に、前記ＤＵを瞬時に復号することと
をさらに備える、請求項１に記載の方法。
【請求項６】
前記バッファリング期間ＳＥＩメッセージに関連するアクセスユニットは、アクセスユニット０と呼ばれ、前記１つまたは複数のプロセッサは、
アクセスユニットがアクセスユニット０であることに基づいて、前記アクセスユニットの名目除去時間を、前記スケジュール選択インデックスについての前記初期ＣＰＢ除去遅延に基づいて決定することと、
前記アクセスユニットの前記名目除去時間に等しいＣＰＢ除去時間を設定することと、ここにおいて、前記アクセスユニットは復号ユニット（ＤＵ）であり、
前記決定されたＣＰＢ除去時間に、前記ＤＵを瞬時に復号することと
を行うようにさらに構成される、請求項２に記載のデバイス。
【請求項７】
前記バッファリング期間ＳＥＩメッセージに関連するアクセスユニットは、アクセスユニット０と呼ばれ、前記命令は、実行されると、前記１つまたは複数のプロセッサに、
アクセスユニットがアクセスユニット０であることに基づいて、前記アクセスユニットの名目除去時間を、前記スケジュール選択インデックスについての前記初期ＣＰＢ除去遅延に基づいて決定することと、
前記アクセスユニットの前記名目除去時間に等しいＣＰＢ除去時間を設定することと、ここにおいて、前記アクセスユニットは復号ユニット（ＤＵ）であり、
前記決定されたＣＰＢ除去時間に、前記ＤＵを瞬時に復号することと
を行わせる、請求項３に記載の非一時的コンピュータ可読記憶媒体。
【請求項８】
前記バッファリング期間ＳＥＩメッセージに関連するアクセスユニットは、アクセスユニット０と呼ばれ、前記デバイスは、
アクセスユニットがアクセスユニット０であることに基づいて、前記アクセスユニットの名目除去時間を、前記スケジュール選択インデックスについての前記初期ＣＰＢ除去遅延に基づいて決定するための手段と、
前記アクセスユニットの前記名目除去時間に等しいＣＰＢ除去時間を設定することと、ここにおいて、前記アクセスユニットは復号ユニット（ＤＵ）であり、
前記決定されたＣＰＢ除去時間に、前記ＤＵを瞬時に復号するための手段と
をさらに備える、請求項４に記載のデバイス。